(57)【要約】【課題】  シート状の平坦な状態から簡単な作業で容易に成形することができ、更には、構成が簡単なので、製造が容易であり、低コストな簡易ドリッパーを得る。【解決手段】  一枚の板紙を基材としたドリッパー本体成形用シート３と、ドリッパー本体成形用シート３の上面に固定したフィルター用シート５とからなり、ドリッパー本体成形用シート３を折り込むことにより成形される簡易ドリッパー１の、ドリッパー本体形成用シート３に、中央部位Ｃで直交する第１仮想線Ｌ１と第２仮想線Ｌ２を設定し、その中央部位Ｃに第１仮想線Ｌ１を挟んで、第２仮想線Ｌ２上で尖端６ａ同士が間隔を空けて対向する抽出孔開口用の一対のＶ字スリット６と、一対のＶ字スリット６のそれぞれの開放側端部６ｂから、第１仮想線Ｌ１を挟んで相互に接近する方向に傾斜しドリッパー本体形成用シート３の端縁まで延在する一対の第１山折り用罫線７とを設けた。【選択図】    図２
2019076567.tif 000002
【特許請求の範囲】
【請求項１】
一枚の板紙を基材としたドリッパー本体成形用シートと、前記ドリッパー本体成形用シートの上面に固定したフィルター用シートとからなり、前記ドリッパー本体成形用シートを折り込むことにより成形される簡易ドリッパーであって、
前記ドリッパー本体形成用シートは、中央部位で直交する第１仮想線と第２仮想線が設定され、その中央部位に第１仮想線を挟んで、第２仮想線上で尖端同士が間隔を空けて対向する抽出孔開口用の一対のＶ字スリットと、前記一対のＶ字スリットのそれぞれの開放側端部から前記第１仮想線を挟んで相互に接近する方向に傾斜し前記ドリッパー本体形成用シートの端縁まで延在する一対の第１山折り用罫線とが設けられ、
前記一対のＶ字スリット及び前記一対の第１山折り用罫線で囲まれた部分が前記フィルター用シートを上面に受けて固定するフィルター受け部となるフィルター受け用形成部となり、また、前記一対のＶ字スリット及び前記一対の第１山折り用罫線の外側の部分が支持脚部となる支持脚用形成部となっており、
前記フィルター受け用形成部に前記フィルター用シートを固定している前記ドリッパー本体成形用シートの前記一対の第１山折り用罫線を山折りすることにより、前記一対のＶ字スリットを押し広げて前記フィルター用シートの下面側に抽出孔を開口させるとともに、前記フィルター受け用形成部で前記フィルター受け部を形成し、前記支持脚用形成部で前記支持脚部を形成することを特徴とする簡易ドリッパー。
【請求項２】
前記ドリッパー本体成形用シートには、前記一対のＶ字スリットの尖端間にある前記第２仮想線上に谷折り用罫線が設けられ、前記一対のＶ字スリットの尖端から前記ドリッパー本体成形用シートの端縁に至る前記第２仮想線上に第２山折り用罫線が設けられていることを特徴とする請求項１に記載の簡易ドリッパー。
【請求項３】
前記ドリッパー本体成形用シートに形成された、前記一対のＶ字スリットのそれぞれの開放側端部から、前記第１仮想線を挟んで相互に接近する方向に傾斜し前記ドリッパー本体成形用シートの端縁まで延在する前記一対の第１山折り用罫線は、前記ドリッパー本体成形用シートの端縁上における前記一対の第１山折り用罫線の端部同士が離れていることを特徴とする請求項１または２に記載の簡易ドリッパー。
【請求項４】
前記ドリッパー本体成形用シートの前記支持脚用形成部の開放側端縁には、容器開口用係止溝部が形成されていることを特徴とする請求項１から３までのいずれか１項に記載の簡易ドリッパー。
【請求項５】
前記フィルター受け用形成部に固定される前記フィルター用シートは、前記フィルター受け用形成部の上面に前記フィルター受け用形成部における前記第１仮想線上或いは近傍に第１仮想線に沿って固定されていることを特徴とする請求項１から４までのいずれか１項に記載の簡易ドリッパー。
【発明の詳細な説明】
【技術分野】
【０００１】
本発明は、シート状の平坦な状態から、簡単な作業で容易に成形できる紙製の簡易ドリッパーに関する。
【背景技術】
【０００２】
近年、荷物にならず持ち運び容易で、出先などでもコーヒーや紅茶などを楽しむことができる、シート状の平坦な状態からドリッパーを成形できる紙製の簡易ドリッパーが広く用いられている。
【０００３】
そのような紙製の簡易ドリッパーとしては、従来、例えば、厚紙シートの中心線のほぼシート中央部に中心孔を設け、中心孔を設けた残部の中心線上に中心線を上方向に折り曲げ自在とする押し罫線を設け、中心孔の両外側部に中心線と直交し押し罫線を介して下方向に折り曲げ可能の１対の支持片を設け中心孔全周縁の裏側に袋状濾紙の開口部全周縁を接着したドリッパーが提供されている（例えば、特許文献１参照）。
【０００４】
また、中央矩形側板と、該中央矩形側板の両側方に折線を介して扇型に順次連設されている複数の逆三角形側板と、両側方末端に折線を介して連設されていて側縁から突出する連結片により側縁同士を連結することができる連結用側板によって形成される、多角形開口部と楔形底部を有するフィルター収容部と、フィルター収容部が楔形底部から差し込まれて保持される差込穴を有する円盤状フランジ部と、一端が折線を介して前記フィルター収容部の中央矩形側板の下端に接続されている矩形接続板と、該矩形接続板の他端に折線を介して一端が接続され、他端が前記円盤状フランジ部の外周縁に接続されている矩形支持板とによって形成される接続支持部とよりなる、一枚のブランクシートから組み立てられるドリッパーが提供されている（例えば、特許文献２参照）。
【先行技術文献】
【特許文献】
【０００５】
【特許文献１】特開平１１−２８５４４３号公報
【特許文献２】特開２０１３−８５６３９号公報
【発明の概要】
【発明が解決しようとする課題】
【０００６】
しかしながら、特許文献１に記載されているドリッパーは、中央部に中心孔を設け、その中心孔の全周縁の裏側に袋状濾紙の開口部全周縁を接着するといった構造であるため、不安定な形状の袋状濾紙を適切な位置に合わせ且つ抜けのない接着が必要となり、その製造に高い精度が求められる。そのため、製造に時間とコストがかかるといった問題がある。
【０００７】
また、特許文献２に記載のドリッパーは、上記の通り複雑な形状をしているため製造に手間がかかるばかりでなく、その成形にあっても、複数箇所を折り曲げたり、一部分を他の部分の穴に差し込んだりする必要があり、そのため、成形にも手間がかかるといった問題がある。
【０００８】
本発明の目的は、かかる先行技術の持つ課題を解決し、従来の紙製の簡易ドリッパーよりも製造が容易で且つ簡単な作業で成形することができる紙製の簡易ドリッパーを提供することにある。
【課題を解決するための手段】
【０００９】
上記目的を達成するため、請求項１に記載の発明は、一枚の板紙を基材としたドリッパー本体成形用シートと、前記ドリッパー本体成形用シートの上面に固定したフィルター用シートとからなり、前記ドリッパー本体成形用シートを折り込むことにより成形される簡易ドリッパーであって、前記ドリッパー本体形成用シートは、中央部位で直交する第１仮想線と第２仮想線が設定され、その中央部位に第１仮想線を挟んで、第２仮想線上で尖端同士が間隔を空けて対向する抽出孔開口用の一対のＶ字スリットと、前記一対のＶ字スリットのそれぞれの開放側端部から前記第１仮想線を挟んで相互に接近する方向に傾斜し前記ドリッパー本体形成用シートの端縁まで延在する一対の第１山折り用罫線とが設けられ、前記一対のＶ字スリット及び前記一対の第１山折り用罫線で囲まれた部分が前記フィルター用シートを上面に受けて固定するフィルター受け部となるフィルター受け用形成部となり、また、前記一対のＶ字スリット及び前記一対の第１山折り用罫線の外側の部分が支持脚部となる支持脚用形成部となっており、前記フィルター受け用形成部に前記フィルター用シートを固定している前記ドリッパー本体成形用シートの前記一対の第１山折り用罫線を山折りすることにより、前記一対のＶ字スリットを押し広げて前記フィルター用シートの下面側に抽出孔を開口させるとともに、前記フィルター受け用形成部で前記フィルター受け部を形成し、前記支持脚用形成部で前記支持脚部を形成することを特徴とする。
【００１０】
請求項１に記載の発明によれば、前記ドリッパー本体形成用シートは、中央部位で直交する前記第１仮想線と前記第２仮想線が設定され、その中央部位に前記第１仮想線を挟んで、前記第２仮想線上で尖端同士が間隔を空けて対向する抽出孔開口用の前記一対のＶ字スリットと、前記一対のＶ字スリットのそれぞれの開放側端部から、前記第１仮想線を挟んで相互に接近する方向に傾斜し前記ドリッパー本体形成用シートの端縁まで延在する前記一対の第１山折り用罫線とが設けられ、前記一対のＶ字スリット及び前記一対の第１山折り用罫線で囲まれた部分が前記フィルター用シートを上面に受けて固定する前記フィルター受け部となる前記フィルター受け用形成部となり、また、前記一対のＶ字スリット及び前記一対の第１山折り用罫線の外側の部分が前記支持脚部となる前記支持脚用形成部となっており、前記フィルター受け用形成部に前記フィルター用シートを固定している前記ドリッパー本体成形用シートの前記一対の第１山折り用罫線を山折りすることにより、前記一対のＶ字スリットを押し広げて前記フィルター用シートの下面側に抽出孔を開口させるとともに、前記フィルター受け用形成部で前記フィルター受け部を形成し、前記支持脚用形成部で前記支持脚部を形成するので、前記一対の第１山折り用罫線を折り曲げるといった簡単な作業により簡易ドリッパーを容易に且つ確実に成形することができる。
即ち、前記一対の第１山折り用罫線を山折りすることにより、前記一対の第１山折り用罫線の外側の部分である支持脚用形成部は、前記一対の第１山折り用罫線を軸に下方に回転して起立し、かつ前記一対の第１山折り用罫線の傾斜に応じて変形して前記第２仮想線に沿って山折方向に屈曲し、対向する略「く」字型の一対の支持脚部となる。また、支持脚用形成部の屈曲により一対のＶ字スリットは水平方向に広げられ、これに伴ってフィルター受け用形成部は、一対の第１山折り用罫線の傾斜に応じて第１仮想線方向の両端が隆起し中央部分が沈んだ凹形状のフィルター受け部となり、そして、フィルター受け部と一対の支持脚部の間に抽出孔が開口した簡易ドリッパーを成形することができる。
更には、構成が簡単なので、製造が容易であり、低コストで得ることができる。
【００１１】
請求項２に記載の発明は、請求項１に記載の、前記ドリッパー本体成形用シートには、前記一対のＶ字スリットの尖端間にある前記第２仮想線上に谷折り用罫線が設けられ、前記一対のＶ字スリットの尖端から前記ドリッパー本体成形用シートの端縁に至る前記第２仮想線上に第２山折り用罫線が設けられていることを特徴とする。
【００１２】
請求項２に記載の発明によれば、前記ドリッパー本体成形用シートには、前記一対のＶ字スリットの尖端間にある前記第２仮想線上に谷折り用罫線が設けられ、前記一対のＶ字スリットの尖端から前記ドリッパー本体成形用シートの端縁に至る前記第２仮想線上に前記第２山折り用罫線が設けられているので、前記第１山折り用罫線を山折りすることによりフィルター受け用形成部に谷折方向の力が掛かったとき、フィルター受け用形成部の中央部は、前記一対のＶ字スリットの尖端間にある前記第２仮想線上に設けられた谷折り用罫線の存在により、前記谷折り用罫線から容易に谷折りされ、中央部分が沈んだ凹形状のフィルター受け部を容易に且つ確実に形成することができる。
また、前記第１山折り用罫線を山折りすることにより、前記一対の第１山折り用罫線を軸に下方に回転して起立した前記支持脚用形成部に、前記第２仮想線に沿った山折方向の力が掛かったとき、前記一対のＶ字スリットの尖端から前記ドリッパー本体成形用シートの端縁に至る前記第２仮想線上に設けられた前記第２山折り用罫線の存在により、前記支持脚用形成部は前記第２山折り用罫線から容易に山折りされ、対向する略「く」字型の一対の支持脚部を容易に且つ確実に形成することができる。
【００１３】
請求項３に記載の発明は、請求項１または２に記載の、前記ドリッパー本体成形用シートに形成された、前記一対のＶ字スリットのそれぞれの開放側端部から、前記第１仮想線を挟んで相互に接近する方向に傾斜し前記ドリッパー本体成形用シートの端縁まで延在する前記一対の第１山折り用罫線は、前記ドリッパー本体成形用シートの端縁上における前記一対の第１山折り用罫線の端部同士が離れていることを特徴とする。
【００１４】
請求項３に記載の発明によれば、前記ドリッパー本体成形用シートに形成された、前記一対のＶ字スリットのそれぞれの開放側端部から、前記第１仮想線を挟んで相互に接近する方向に傾斜し前記ドリッパー本体成形用シートの端縁まで延在する前記一対の第１山折り用罫線は、前記ドリッパー本体成形用シートの端縁上における前記一対の第１山折り用罫線の端部同士が離れているので、前記一対の第１山折り用罫線を山折りすることにより、前記支持脚用形成部が起立し、前記一対の支持脚部が形成されたとき、前記一対の支持脚部の間に隙間が形成され、この隙間を通して、前記フィルター受け部と前記一対の支持脚部の間に開口している前記抽出孔からの抽出状況を確認することができる。
【００１５】
請求項４に記載の発明は、請求項１から３までのいずれか１項に記載の、前記ドリッパー本体成形用シートの前記支持脚用形成部の開放側端縁には、容器開口用係止溝部が形成されていることを特徴とする。
【００１６】
請求項４に記載の発明によれば、前記ドリッパー本体成形用シートの前記支持脚用形成部の開放側端縁には、容器開口用係止溝部が形成されているので、前記支持脚用形成部で形成された支持脚部の下端縁に前記容器開口用係止溝部が存在することになり、成形された簡易ドリッパーの使用に際し、支持脚部の下端縁に存在する前記容器開口用係止溝部を容器の開口部に挿入することにより、簡易ドリッパーを容器の開口部に安定した状態で載置でき、且つ成形された簡易ドリッパーの保形を維持することができる。
【００１７】
請求項５に記載の発明は、請求項１から４までのいずれか１項に記載の、前記フィルター受け用形成部に固定される前記フィルター用シートは、前記フィルター受け用形成部の上面に前記フィルター受け用形成部における前記第１仮想線上或いは近傍に第１仮想線に沿って固定されていることを特徴とする。
【００１８】
請求項５に記載の発明によれば、前記フィルター受け用形成部に固定される前記フィルター用シートは、前記フィルター受け用形成部の上面に前記フィルター受け用形成部における前記第１仮想線上或いは近傍に第１仮想線に沿って固定されているので、前記一対の第１山折り用罫線を山折りして、前記フィルター受け用形成部が一対の第１山折り用罫線の傾斜に応じて変形し、中央部分が沈んで凹形状のフィルター受け部が形成されたとき、前記フィルター用シートは前記フィルター受け用形成部と一体となって中央部分が沈んだフィルター受け部の形状に沿った凹形状となり、上方に開口した容器状のフィルターとなる。
【発明の効果】
【００１９】
本発明に係る簡易ドリッパーによれば、シート状の平坦な状態から簡単な作業で容易に成形することができ、更には、構成が簡単なので、製造が容易であり、低コストな簡易ドリッパーを得ることができる。
【図面の簡単な説明】
【００２０】
【図１】本発明の成形前の簡易ドリッパーの一例を示す平面図である。
【図２】図１に示す簡易ドリッパーのドリッパー本体成形用シートを示す平面図である。
【図３】図２に示すドリッパー本体成形用シートから成形したドリッパー本体部を示す平面図である。
【図４】図３に示すドリッパー本体部の正面図である。
【図５】図３に示すドリッパー本体部の側面図である。
【図６】図３に示すドリッパー本体部のＡ−Ａ断面図である。
【図７】図１に示す簡易ドリッパーの成形後の状態を示す斜視図である。
【図８】図１に示す簡易ドリッパーの使用の状態を示す説明図である。
【発明を実施するための形態】
【００２１】
以下、本発明に係る簡易ドリッパーの実施の形態の一例を、図面を参照して詳細に説明する。
図１は本例の成形前の簡易ドリッパーを示す平面図、図２は図１に示す簡易ドリッパーのドリッパー本体成形用シートを示す平面図、図３は図２に示すドリッパー本体成形用シートから成形したドリッパー本体部を示す平面図、図４は図３に示すドリッパー本体部の正面図、図５は図３に示すドリッパー本体部の側面図、図６は図３に示すドリッパー本体部のＡ−Ａ断面図、図７は図１に示す簡易ドリッパーの成形後の状態を示す斜視図、図８は図１に示す簡易ドリッパーの使用の状態を示す説明図である。
【００２２】
本例の簡易ドリッパー１は、図１に示すように、ドリッパー本体部２を成形するドリッパー本体成形用シート３と、ドリッパー本体成形用シート３の上面に固定したフィルター部４を形成するフィルター用シート５とからなり、ドリッパー本体成形用シート３を折り込むことにより成形される。
【００２３】
ドリッパー本体成形用シート３は、一枚の板紙を基材として形成される。用いられる板紙基材は簡易ドリッパー１を成形するために折り曲げ可能な可撓性と、簡易ドリッパー１の使用時にお湯を注がれても形状を維持することができる剛性を備えていれば特に問わない。また、本例の簡易ドリッパー１では板紙の両面に耐水性を有する樹脂薄膜が積層されており、成形された簡易ドリッパー１の使用時にお湯を注いでも、注がれたお湯を板紙が吸収することなく、簡易ドリッパー１の剛性が弱まってしまうといった事態を防ぐことができる。また、樹脂薄膜の形成に用いる樹脂には熱溶着性を有する樹脂を用いることにより、後述するドリッパー本体成形用シート３とフィルター用シート５との固定をヒートシールにより簡易に行えるので望ましい。樹脂薄膜の形成に用いる熱溶着性を有する樹脂としては、例えば、低密度ポリエチレン、直鎖状低密度ポリエチレン、中密度ポリエチレン、高密度ポリエチレン、ポリプロピレン、変性ポリエステル等を用いる。
【００２４】
ドリッパー本体成形用シート３の形状は特に限定されず、略矩形、略正方形、円形、楕円形など任意の形状に形成される。本例では、図２に示すように、略矩形状に形成している。
ドリッパー本体成形用シート３は、次のように構成されている。
先ず、ドリッパー本体成形用シート３に、その中央部位Ｃで直交する第１仮想線Ｌ１と第２仮想線Ｌ２を設定する。
この中央部位Ｃには第１仮想線Ｌ１を挟んで第２仮想線Ｌ２上で尖端６ａ同士が間隔を空けて対向する、後述する抽出孔を開口するための一対のＶ字スリット６が設けられている。なお、本例のＶ字スリット６の尖端６ａは直線状に形成しているが、これに限られるものではなく、先端を尖らせた「Ｖ」字型に形成しても良いし、弧状の「Ｕ」字型に形成しても良い。
この一対のＶ字スリット６のそれぞれの開放端部６ｂから第１仮想線Ｌ１を挟んで、相互に接近する方向に傾斜しドリッパー本体成形用シート３の端縁まで延在する第１山折り用罫線７が設けられている。なお、本例では第１山折り用罫線７を直線状に形成しているが、曲線状に形成しても良い。
【００２５】
このように構成されたドリッパー本体成形用シート３の、一対のＶ字スリット６と一対の第１山折り用罫線７に囲まれた部分は、後述する簡易ドリッパー１の成形時に、フィルターを受けて固定するドリッパー本体のフィルター受け部となるフィルター受け用形成部８となる。また、一対のＶ字スリット６と一対の第１山折り用罫線７の外側の部分が、後述する簡易ドリッパー１の成形時に、起立してフィルター受け部を支持する支持脚部となる支持脚用形成部９となる。
【００２６】
また、本例のドリッパー本体成形用シート３には、一対のＶ字スリット６の尖端６ａ間の第２仮想線Ｌ２上に谷折り用罫線１０が設けられ、一対のＶ字スリット６の尖端６ａからドリッパー本体成形用シート３の端縁に至る間の第２仮想線Ｌ２上に第２山折り用罫線１１が設けられている。谷折り用罫線１０及び第２山折り用罫線１１は、後述する簡易ドリッパー１の成形時のフィルター受け用形成部８と支持脚用形成部９の屈曲をアシストして、簡易ドリッパー１の成形を容易にする。
なお、谷折り用罫線１０と第２山折り用罫線１１の形成位置は、第２仮想線Ｌ２上に限るものではなく、第２仮想線Ｌ２方向に沿った異なる位置に設けても良い。また形成する本数も単数に限らず、複数設けても良い。例えば、フィルター受け部８の中央部分に平面の底部を形成したい場合には、一対のＶ字スリット６の先端６ａ間に第２仮想線Ｌ２から第１仮想線Ｌ１方向に等間隔を空けて第２仮想線と平行する２本の谷折り罫線を形成し、フィルター受け部８の中央部分に平面の底部を形成する。
【００２７】
また、本例では、一対の第１山折り用罫線７は、ドリッパー本体成形用シート３の端縁上において、その端部７ａ同士が離れるように設けられている。このようにすることにより、後述する成形された簡易ドリッパー１を構成する一対の支持脚部の間に隙間が形成され、この隙間から簡易ドリッパー１による抽出状況を確認することができる。
【００２８】
また、本例のドリッパー本体成形用シート３には、簡易ドリッパー１を容器に係止する係止機構として、支持脚用形成部９の開放側端縁に簡易ドリッパー１を容器へ係止させる容器開口用係止溝部１２が２つずつ形成されている。なお、容器開口用係止溝部１２の数は２つずつに限られない。また、簡易ドリッパー１を容器に係止する係止機構は容器開口用係止溝部１２に限られず、簡易ドリッパー１を容器に安定して載置可能な公知の係止機構を用いても良い。
【００２９】
このように構成されたドリッパー本体成形用シート３の表面には、図１に示すように、フィルター用シート５が固着されている。フィルター用シート５を形成する素材は、濾過機能を有する素材であれば特に問わないが、本例ではドリッパー本体成形用シート３に固定される面にポリプロピレンなどの熱溶着性樹脂を含有させた濾紙を用いている。また、フィルター用シート５の形状は、後述する簡易ドリッパー１の成形時に形成される抽出孔を覆うことができる大きさを持った形状であれば特に問わない。
【００３０】
また、本例のフィルター用シート５のドリッパー本体成形用シート３への固定は、ドリッパー本体成形用シート３に重ねたフィルター用シート５の表面から第１仮想線Ｌ１に沿って成形前の簡易ドリッパー１の両端に亘って設定された固着部１３を加熱押圧してドリッパー本体成形用シート３の上面とフィルター用シート５の裏面を熱溶着することにより行っている。なお、フィルター用シート５のドリッパー本体成形用シート３への固定はこれに限られず、固定方法にあっては、糊、接着剤等の公知の固定方法を用いることができる。固定位置にあっては、フィルター受け用形成部８の表面であれば特に問わないが、第１仮想線Ｌ１方向の中央部分またはその近傍を固定位置とすることにより、後述の簡易ドリッパー成形時に、フィルター受け用形成部８の変形に伴いフィルター用シート５の中央部分を沈ませて容器形状にすることができる。本例では、第１仮想線Ｌ１に沿って、重ねられたドリッパー本体成形用シート３とフィルター用シート５の両端に亘って固着部１３を設定しているので、簡易ドリッパー１の成形時にフィルター用シートは中央部が沈むだけではなく、凹状に変形するフィルター受け用形成部８に沿って変形し、より容易に容器形状にすることができる。また、ドリッパー本体成形用シート３とフィルター用シート５との固着を、両者を重ねて、固着部１３の上を通過するようにヒートシールローラーで挟み込み、送り出すことにより行えるので、ドリッパー本体成形用シート３とフィルター用シート５との固着を簡易に行うことができる。
【００３１】
このように構成された平坦な状態の簡易ドリッパー１の成形は、一対の第１山折り用罫線７を、その外側部分である支持脚用形成部９が下方に回転するように山折りすることにより行われる。支持脚用形成部９の下方への回転角は、本例では約９０°であるが、容器の形状・大きさに合わせて適宜使用者が定める。
【００３２】
かかる作業により、まず、第１山折り用罫線７を軸にして下方に回転した支持脚用形成部９は起立し、かつ一対の第１山折り用罫線７の傾斜に応じて変形して第２仮想線Ｌ２に沿って山折りするように屈曲し、簡易ドリッパー１を囲むように対向する略「く」字型の一対の支持脚部１４に形成される（図３，図５参照）。このとき、本例の簡易ドリッパー１では一対のＶ字スリット６の尖端６ａからドリッパー本体成形用シート３の端縁までに至る間の第２仮想線Ｌ２上に第２山折り用罫線１１が形成されているので、第２仮想線に沿って山折り方向への力が掛かると第２山折り用罫線１１が山折りされ、ドリッパー本体成形用シート３を形成する板紙に弾性の大きい素材を用いても、支持脚用形成部９を容易に且つ確実に屈曲させることができる。なお本例では、第１山折り用罫線７を直線状に形成しているため、平面から見たドリッパー本体部２の形状は略正方形状となっているが、第１山折り用罫線７の形状や長さを変更することにより、ドリッパー本体部２の平面から見た形状を異なるものとすることができ、例えば第１山折り用罫線７を外側に湾曲した円弧状に形成すると、ドリッパー本体部２の平面から見た形状を円形又は楕円形にすることができる。
【００３３】
また、一対のＶ字スリット６は、一対の第１山折り用罫線７の山折りにより、Ｖ字スリット６の外縁部分が上方に移動して縦方向に広げられ、それから山折りされる第２山折り用罫線１１を軸に支持脚用形成部９が屈曲し、一対のＶ字スリット６の両側の開放端部６ｂ間が狭められる。これにより、後述するフィルター受け用形成部８から形成されるフィルター受け部１５と支持脚部１４との間に抽出液を容器内に滴下するための抽出孔１６が形成される。
また、上方に移動したＶ字スリット６の先端６ａの外縁部分は支持脚部１４から上方に突出する凸状頂部１４ａとなる。
【００３４】
そして、フィルター受け用形成部８は、一対の第１山折り用罫線７の傾斜に応じて第１仮想線Ｌ１方向の両端が隆起し、中央部分が沈むように屈曲して凹形状フィルター受け部１５に形成される（図４，図６参照）。このとき、本例の簡易ドリッパー１では一対のＶ字スリット６の尖端６ａ間の第２仮想線Ｌ２上に谷折り用罫線１０が形成されており、第２仮想線上Ｌ２に沿った谷折り方向の力が掛かると谷折り用罫線１０は谷折りされるので、ドリッパー本体成形用シート３を形成する板紙に弾性の大きい素材を用いても、フィルター受け用形成部８を容易且つ確実に屈曲させて、フィルター受け部１５を形成することができる。
【００３５】
また本例では、一対のＶ字スリット６のそれぞれの開放側端部６ｂから、第１仮想線Ｌ１を挟んで相互に接近する方向に傾斜しドリッパー本体成形用シート３の端縁まで延在する一対の第１山折り用罫線７は、ドリッパー本体成形用シート３の端縁上における一対の第１山折り用罫線７の端部７ａ同士が離れるように形成しているので、第１山折り用罫線７を山折りし、支持脚用形成部９が起立して、一対の支持脚部１４が形成されたとき、一対の支持脚部１４の間に隙間が形成される。この形成された隙間により、簡易ドリッパー１による抽出孔１６からの抽出状況を確認することができる（図５参照）。
【００３６】
そして、本例の簡易ドリッパー１は、ドリッパー成形用シート２の支持脚用形成部９の開放側端縁に、容器開口用係止溝部１２が形成されており、支持脚部１４の形成により、容器開口用係止溝部１２は垂下方向に開口する。これにより、容器開口用係止溝部１２を容器の縁に嵌めることができ、簡易ドリッパー１を容器の開口部に安定して載置することができる。
【００３７】
また、ドリッパー本体成形用シート３に固着されたフィルター部４を形成するフィルター用シート５は、ドリッパー本体成形用シート３とフィルター受け用形成部８の上面における第１仮想線Ｌ１に沿って設定された固着部１３上で固着されているので、フィルター受け用形成部８のフィルター受け部１５への変形に従って変形し、第１仮想線Ｌ１方向の両端部分が隆起し、中央部分が沈む。また、フィルター用シート５の第２仮想線Ｌ２方向の両端部分は、一対の第１山折り用罫線７の山折りにより上方に移動するＶ字スリット６の外縁部分に持ち上げられ、形成された支持脚部１４の凸状頂部１４ａに引っかかり、持ち上げられた状態が維持されて、フィルター用シート５は第２仮想線Ｌ２方向も両端部分が隆起し、中央部分が沈んだ凹形状に変形する。このことにより、フィルター用シート５から、抽出孔１６を覆い、上方に開口した容器形状のフィルター部４を容易に形成することができる（図７参照）。
【００３８】
このように成形された簡易ドリッパー１は、図８に示すようにカップなどの容器１７の開口部に抽出孔１６が位置するように載置し、容器形状のフィルター部１５内にお茶やコーヒーなどを入れ、お湯を注いで容器内に抽出する。また本例では、支持脚部１４の下端に形成されている容器開口用係止溝部１２を容器１７の開口部の縁に嵌めて簡易ドリッパー１を容器１７に載置しているので、お湯を注いでも簡易ドリッパー１が安定して容器１７に載置された状態を維持することができる。
【００３９】
このように構成された簡易ドリッパー１によれば、その構成は、一枚の板紙を基材としたドリッパー本体成形用シート３と、ドリッパー本体成形用シート３の上面に固定したフィルター用シート５とからなり、ドリッパー本体成形用シート３を折り込むことにより成形される簡易ドリッパー１であって、ドリッパー本体成形用シート３は、中央部位Ｃで直交する第１仮想線Ｌ１と第２仮想線Ｌ２が設定され、その中央部位Ｃに第１仮想線Ｌ１を挟んで、第２仮想線Ｌ２上で尖端６ａ同士が間隔を空けて対向する抽出孔１６開口用の一対のＶ字スリット６と、一対のＶ字スリット６のそれぞれの開放側端部６ｂから、第１仮想線Ｌ１を挟んで相互に接近する方向に傾斜しドリッパー本体成形用シート３の端縁まで延在する一対の第１山折り用罫線７とが設けられたものであるので、従来の平坦な状態から成形される簡易ドリッパーと比較してシンプルな形状であり、容易に製造することができる。
【００４０】
また、かかる構成により、一対の第１山折り用罫線７の山折りという、簡単な作業により簡易ドリッパー１を成形することができる。即ち、一対の第１山折り用罫線７を山折りする作業により、第１山折り用罫線７の外側である支持脚用形成部９は第１山折り用罫線７を軸に下方に回転して起立し、かつ一対の第１山折り用罫線７の傾斜に応じて変形して第２仮想線Ｌ２に沿って山折りするように屈曲するので、対向する略「く」字型の一対の支持脚部１４が形成される。また、支持脚用形成部９の回転により上下方向へ、屈曲により水平方向へ一対のＶ字スリット６は広げられ、抽出孔１６が形成される。さらに、フィルター受け用形成部８は一対の第１山折り用罫線７の傾斜に応じて第１仮想線Ｌ１方向の両端が隆起し、中央部分が沈み、凹形状のフィルター受け部１５が形成される。
【００４１】
また、本例の簡易ドリッパー１は、ドリッパー本体成形用シート３に一対のＶ字スリット６の尖端６ａ間にある第２仮想線Ｌ２上に谷折り用罫線１０が設けられ、一対のＶ字スリット６の尖端６ａからドリッパー本体成形用シート３の端縁に至る第２仮想線Ｌ２上に第２山折り用罫線１１が設けられているので、各罫線が折り曲がることにより、ドリッパー本体形成用シートの素材に弾性率が大きい素材を用いても、フィルター受け用形成部８と支持脚用形成部９を容易且つ確実に屈曲させることができる。
【００４２】
また、本例の簡易ドリッパー１は、一対のＶ字スリット６のそれぞれの開放側端部６ｂから、第１仮想線Ｌ１を挟んで相互に接近する方向に傾斜しドリッパー本体成形用シート３の端縁まで延在する一対の第１山折り用罫線７は、ドリッパー本体成形用シート３の端縁上における一対の第１山折り用罫線７の端部７ａ同士が離れるように形成しているので、第１山折り用罫線７を山折りし、支持脚用形成部９が起立して、一対の支持脚部１４が形成されたとき、一対の支持脚部１４の間に隙間が形成され、この隙間を通して、簡易ドリッパー１による抽出孔１６からの抽出状況を確認することができる。
【００４３】
さらに、ドリッパー本体成形用シート３の支持脚部１４を形成する支持脚用形成部９の開放側端縁には、容器開口用係止溝部１２が形成されており、支持脚部１４が形成されると垂下方向に開口する容器開口用係止溝部１２を容器開口部の縁に嵌め込むことにより、成形した簡易ドリッパー１を安定した状態で容器１７の開口部に載置することができる。
【００４４】
また、本例のフィルター用シート５のドリッパー本体成形用シート３への固定は、第１仮想線Ｌ１に沿って、ドリッパー本体成形用シート３とフィルター受け用形成部８の上面における第１仮想線Ｌ１に沿って設定された固着部１３上で固着されているので、フィルター受け用形成部８のフィルター受け部１５への変形に従って変形し、第１仮想線Ｌ１方向の両端部分が隆起し、中央部分が沈む。また、フィルター用シート５の第２仮想線Ｌ２方向の両端部分は、一対の第１山折り用罫線７の山折りにより上方に移動するＶ字スリット６の外縁部分に持ち上げられ、形成された支持脚部１４の凸状頂部１４ａに引っかかり、持ち上げられた状態が維持されて、フィルター用シート５は第２仮想線Ｌ２方向も両端部分が隆起し、中央部分が沈んだ凹形状に変形する。このことにより、フィルター用シート５から、抽出孔１６を覆い、上方に開口した容器形状のフィルター部４を容易に形成することができる。
また、ドリッパー本体成形用シート３とフィルター用シート５とを固着する固着部１３を、第１仮想線Ｌ１に沿って成形前の簡易ドリッパー１の両端に亘るように設定しているので、ドリッパー本体成形用シート３とフィルター用シート５との固着を、両者を重ねて、固着部１３の上を通るようにヒートシールローラーで挟み込み、送り出すことにより行うことができ、ドリッパー本体成形用シート３とフィルター用シート５との固着を簡易に行うことができる。
【符号の説明】
【００４５】
１  簡易ドリッパー
２  ドリッパー本体部
３  ドリッパー本体成形用シート
４  フィルター部
５  フィルター用シート
６  Ｖ字スリット
６ａ  Ｖ字スリットの尖端
６ｂ  Ｖ字スリットの開放端部
７  第１山折り用罫線
７ａ  第１山折り用罫線端部
８  フィルター受け用形成部
９  支持脚用形成部
１０  谷折り用罫線
１１  第２山折り用罫線
１２  容器開口用係止溝部
１３  固着部
１４  支持脚部
１４ａ  支持脚部の凸状頂部
１５  フィルター受け部
１６  抽出孔
１７  容器
Ｃ  中央部位
Ｌ１  第１仮想線
Ｌ２  第２仮想線
【図１】
2019076567.tif 000003
【図２】
2019076567.tif 000004
【図３】
2019076567.tif 000005
【図４】
2019076567.tif 000006
【図５】
2019076567.tif 000007
【図６】
2019076567.tif 000008
【図７】
2019076567.tif 000009
【図８】
2019076567.tif 000010